(57)【要約】【課題】端末の周波数帯域を適応させるための方法および端末を提供すること。【解決手段】この方法は、端末の位置情報を取得すること、端末の設定情報に従って、位置情報によって示される位置における端末の禁止周波数帯域を決定すること、および、禁止周波数帯域に端末が登録するのを禁止することを含む。本発明の実施形態で提供される方法および端末は、端末側で端末の周波数帯域の適応を実施することができ、プリセットエリア(プリセットエリアは国とすることができる)内で端末の禁止周波数帯域を端末が使用するのを制限する目的を達成することができ、それによりネットワーク側の改変コストを削減することができる。【選択図】図5
2013121179.tif 000002
【特許請求の範囲】
【請求項１】
端末の周波数帯域を適応させる方法であって、
前記端末の位置情報を取得する段階と、
前記端末の設定情報に従って、前記位置情報によって示される位置における前記端末の禁止周波数帯域を決定する段階と、
前記禁止周波数帯域に前記端末が登録するのを禁止する段階とを含む方法。
【請求項２】
前記端末の前記設定情報に従って、前記位置情報によって示される前記位置における前記端末の前記禁止周波数帯域を決定する前記段階の前に、
前記位置情報によって示される前記位置がプリセットエリア内であると決定する段階をさらに含む、請求項1に記載の方法。
【請求項３】
前記プリセットエリアが事前設定された国である、請求項2に記載の方法。
【請求項４】
前記禁止周波数帯域に前記端末が登録するのを禁止する前記段階が、
ネットワーク探索時に前記禁止周波数帯域を探索しない段階、または
ネットワーク探索時に前記禁止周波数帯域を探索するが前記禁止周波数帯域への登録を開始しない段階を含む、請求項1から3のいずれか一項に記載の方法。
【請求項５】
前記位置情報がモバイル国コードMCC値であり、前記端末の前記位置情報を取得する前記段階が、前記端末によってサポートされる周波数帯域中でセルを探索し、セルが見つかった場合に前記セルのブロードキャストメッセージから前記MCC値を取得する段階であり、または、
前記位置情報が衛星測位位置情報であり、前記端末の前記位置情報を取得する前記段階が、衛星測位システムを介して前記端末の前記衛星測位位置情報を取得する段階である、請求項1から4のいずれか一項に記載の方法。
【請求項６】
前記端末の前記設定情報に従って、前記位置情報によって示される前記位置における前記端末の利用可能な周波数帯域を決定し、前記利用可能な周波数帯域中に、探索不可能または登録不可能として設定された周波数帯域が存在する場合に、探索不可能または登録不可能として設定された前記周波数帯域を探索可能または登録可能として設定するか、または、ユーザに、探索不可能または登録不可能として設定された前記周波数帯域を探索可能または登録可能として設定するよう促す段階をさらに含む、請求項1から5のいずれか一項に記載の方法。
【請求項７】
前記位置情報がモバイル国コードMCC値であり、
前記端末の前記位置情報を取得する前記段階が、
前記端末によってサポートされる周波数帯域中でセルを探索し、セルが見つかった場合に前記セルのブロードキャストメッセージから前記MCC値を取得する段階であり、
前記方法がさらに、
見つかった前記セルの存在する周波数帯域が前記禁止周波数帯域に属するかどうか判定し、属する場合は、前記禁止周波数帯域に前記端末が登録するのを禁止する前記段階を実行し、属さない場合は、前記セルの存在する前記周波数帯域に登録する段階を含み、
前記禁止周波数帯域に前記端末が登録するのを禁止する前記段階が、
前記セルの存在する前記周波数帯域に前記端末が登録するのを禁止する段階である、請求項1から4のいずれか一項に記載の方法。
【請求項８】
前記位置情報がモバイル国コードMCC値であり、
前記端末の前記位置情報を取得する前記段階が、
前記端末によってサポートされる周波数帯域中でセルを探索し、セルが見つかった場合に前記セルのブロードキャストメッセージから前記MCC値を取得する段階であり、
前記方法がさらに、
前記位置情報によって示される前記位置が前記プリセットエリア内でないと判定された場合に、前記セルの存在する周波数帯域に登録する段階を含む、請求項2または3に記載の方法。
【請求項９】
周波数帯域パラメータを照会または設定する命令を前記端末が前記ユーザから受け取ったときに、前記端末の前記設定情報に従って、周波数帯域を照会または設定するための周波数帯域パラメータインタフェースを前記ユーザに提供する段階をさらに含み、前記インタフェースが、前記位置における前記端末の前記利用可能な周波数帯域のみを表示するか、または、前記端末によってサポートされる全ての周波数帯域を表示するが前記位置における前記禁止周波数帯域は選択不可能状態である、請求項1から8のいずれか一項に記載の方法。
【請求項１０】
前記端末の前記設定情報が、前記端末の位置と前記位置における利用可能な周波数帯域との対応であり、前記位置における禁止周波数帯域が、前記位置における前記利用可能な周波数帯域に属さず、かつ/または、
前記端末の前記設定情報が、前記端末の位置と前記位置における禁止周波数帯域との対応である、請求項1から9のいずれか一項に記載の方法。
【請求項１１】
プログラムが記録されたコンピュータ可読記録媒体であって、前記プログラムが、請求項1から10のいずれか一項に記載の方法のいずれかをコンピュータに実行させる、コンピュータ可読記録媒体。
【請求項１２】
端末の周波数帯域を適応させるための端末であって、
前記端末の位置情報を取得するように構成された位置情報取得モジュールと、
前記端末の設定情報を記憶するように構成された設定情報記憶モジュールと、
前記設定情報に従って、前記位置情報によって示される位置における前記端末の禁止周波数帯域を決定するように構成されたマッチングモジュールと、
前記禁止周波数帯域に前記端末が登録するのを禁止するように構成された周波数帯域適応モジュールとを備える端末。
【請求項１３】
前記位置情報によって示される前記位置がプリセットエリア内かどうか判定するように構成された判定モジュールをさらに備え、
前記マッチングモジュールが、前記位置情報によって示される前記位置が前記プリセットエリア内であると前記判定モジュールが判定したとき、前記設定情報に従って、前記位置情報によって示される前記位置における前記端末の前記禁止周波数帯域を決定するように構成された、請求項12に記載の端末。
【請求項１４】
前記プリセットエリアが事前設定された国である、請求項13に記載の端末。
【請求項１５】
前記周波数帯域適応モジュールが、前記端末がネットワーク探索時に前記禁止周波数帯域を探索しないよう設定するか、または、前記端末がネットワーク探索時に前記禁止周波数帯域を探索するが前記禁止周波数帯域への登録を開始しないよう設定するように構成された、請求項12から14のいずれか一項に記載の端末。
【請求項１６】
前記位置情報がモバイル国コードMCC値であり、前記端末がさらに、
前記端末によってサポートされる周波数帯域中でセルを探索するように構成されたネットワーク探索モジュールを備え、
前記位置情報取得モジュールが、前記ネットワーク探索モジュールが前記端末によってサポートされる前記周波数帯域中でセルを探索して見つけたときに、前記セルのブロードキャストメッセージから前記MCC値を取得するように構成された、請求項12から15のいずれか一項に記載の端末。
【請求項１７】
前記位置情報が衛星測位位置情報であり、
前記位置情報取得モジュールが、衛星測位システムを介して前記端末の前記衛星測位位置情報を取得するように構成された、請求項12から15のいずれか一項に記載の端末。
【請求項１８】
前記マッチングモジュールがさらに、前記設定情報に従って、前記位置情報によって示される前記位置における前記端末の利用可能な周波数帯域を決定するように構成され、
前記周波数帯域適応モジュールがさらに、前記利用可能な周波数帯域中に、探索不可能または登録不可能として設定された周波数帯域が存在するときに、探索不可能または登録不可能として設定された前記周波数帯域を探索可能または登録可能として設定するか、または、ユーザに、探索不可能または登録不可能として設定された前記周波数帯域を探索可能または登録可能として設定するよう促すように構成された、請求項12から17のいずれか一項に記載の端末。
【請求項１９】
前記位置情報がモバイル国コードMCC値であり、前記端末がさらに、
前記端末によってサポートされる周波数帯域中でセルを探索するように構成されたネットワーク探索モジュールを備え、
前記位置情報取得モジュールが、前記ネットワーク探索モジュールが前記端末によってサポートされる前記周波数帯域中でセルを探索して見つけたときに、前記セルのブロードキャストメッセージから前記MCC値を取得するように構成され、
前記端末がさらに、
前記ネットワーク探索モジュールによって見つかった前記セルの存在する周波数帯域が前記禁止周波数帯域に属さないときに、前記セルの存在する前記周波数帯域に登録するように構成された登録モジュールを備え、
前記周波数帯域適応モジュールが、前記ネットワーク探索モジュールによって見つかった前記セルの存在する前記周波数帯域が前記禁止周波数帯域に属するときに、前記セルの存在する前記周波数帯域に前記端末が登録するのを禁止するように構成された、請求項12から14のいずれか一項に記載の端末。
【請求項２０】
前記位置情報がモバイル国コードMCC値であり、前記端末がさらに、
前記端末によってサポートされる周波数帯域中でセルを探索するように構成されたネットワーク探索モジュールを備え、
前記位置情報取得モジュールが、前記ネットワーク探索モジュールが前記端末によってサポートされる前記周波数帯域中でセルを見つけたときに、前記セルのブロードキャストメッセージから前記MCC値を取得するように構成され、
前記端末がさらに、
前記位置情報によって示される前記位置が前記プリセットエリア内でないと前記判定モジュールが判定したときに、前記セルの存在する前記周波数帯域に登録するように構成された登録モジュールを備える、請求項13または14に記載の端末。
【請求項２１】
周波数帯域パラメータを照会または設定する命令を前記端末が前記ユーザから受け取ったときに、前記設定情報記憶モジュールによって記憶された前記端末の前記設定情報に従って、周波数帯域を照会または設定するための周波数帯域パラメータインタフェースを前記ユーザに提供するように構成された周波数帯域パラメータ表示モジュールをさらに備え、前記インタフェースが、前記位置における前記端末の前記利用可能な周波数帯域のみを表示するか、または、前記端末によってサポートされる全ての周波数帯域を表示するが前記位置における前記禁止周波数帯域は選択不可能状態である、請求項12から20のいずれか一項に記載の端末。
【請求項２２】
前記端末の前記設定情報が、前記端末の位置と前記位置における利用可能な周波数帯域との対応であり、前記位置における禁止周波数帯域が、前記位置における前記利用可能な周波数帯域に属さず、かつ/または、
前記端末の前記設定情報が、前記端末の位置と前記位置における禁止周波数帯域との対応である、請求項12から21のいずれか一項に記載の端末。
【発明の詳細な説明】
【技術分野】
【０００１】
本発明は、通信の分野に関し、より詳細には、端末の周波数帯域を適応させるための方法および端末に関する。
【背景技術】
【０００２】
グローバルなワイヤレス通信サービスが多様化および複雑化するのに伴い、オペレータは、端末に対してますます高い要件を有し、端末に対して一連の新しい複雑な要件を求めている。
【０００３】
これらの要件は、以下のとおりである。オペレータSは、エリアT(このエリアは国とすることができる)中の3つの周波数帯域、すなわちA/B/C中に、利用可能なネットワークを有し、周波数帯域C中のネットワークが過負荷にならないようにするためには、エリアT中のカスタマイズされる端末は、2つの周波数帯域すなわちA/B中のネットワークしか使用することができず、周波数帯域C中のネットワークを使用することは許されない。
【０００４】
この要件のために、従来技術では、端末がエリアT中で周波数帯域Cのセルを探索して見つけ、周波数帯域Cに登録しようとするとき、ネットワーク側は、端末が被制限端末かどうかを識別する。端末が被制限端末である場合は、被制限端末のアクセスは拒否され、それにより、エリアT中で周波数帯域Cを端末が使用するのを制限する目的が達成される。
【０００５】
従来技術では、ネットワーク側が被制限端末に対する判定を実施することを求められるので、ネットワーク側システムを改変およびアップグレードする必要があり、これにより、ネットワーク側システムのリソースの消費が増加し、また一方で、システム改変コストおよびオペレータのネットワーク動作コストも増加する。
【発明の概要】
【発明が解決しようとする課題】
【０００６】
本発明の実施形態は、端末の周波数帯域を適応させるための方法および端末を提供する。これらの方法および端末は、端末側で周波数帯域の適応を実施することができ、プリセットエリア中の禁止周波数帯域を端末が使用するのを制限する目的を達成することができ、それによりネットワーク側の改変コストを削減することができる。
【課題を解決するための手段】
【０００７】
一態様では、本発明の一実施形態は、端末の周波数帯域を適応させる方法を提供し、この方法は、
端末の位置情報を取得すること、
端末の設定情報に従って、位置情報によって示される位置における端末の禁止周波数帯域を決定すること、および、
禁止周波数帯域に端末が登録するのを禁止することを含む。
【０００８】
別の態様では、本発明の一実施形態は、端末の周波数帯域を適応させるための端末を提供し、この端末は、
端末の位置情報を取得するように構成された位置情報取得モジュールと、
端末の設定情報を記憶するように構成された設定情報記憶モジュールと、
端末の設定情報に従って、位置情報によって示される位置における端末の禁止周波数帯域を決定するように構成されたマッチングモジュールと、
禁止周波数帯域に端末が登録するのを禁止するように構成された周波数帯域適応モジュールとを備える。
【発明の効果】
【０００９】
従来技術と比較して、本発明の実施形態は、以下の有益な効果を有する。
【００１０】
本発明の実施形態で提供される方法および端末は、端末の周波数帯域許可をネットワーク側が識別することを必要とせずに、端末側で端末の周波数帯域の適応を実施することができ、プリセットエリア中の禁止周波数帯域を端末が使用するのを制限する目的を達成することができる。すなわち、ネットワーク側を改変しない場合に端末側で端末の周波数帯域の適応を実施して、それにより、ネットワーク側の改変コストを削減しネットワーク側のシステムリソースを節約することができる。
【００１１】
本発明の実施形態の技術的解決法をより明確に例示するために、以下、実施形態を記述するのに必要とされる添付の図面について簡単に紹介する。明らかに、以下の記述における添付の図面は本発明の実施形態のいくつかに過ぎず、当業者なら、創意工夫なしにこれらの添付の図面に従って他の図面をさらに得ることができる。
【図面の簡単な説明】
【００１２】
【図１】本発明の一実施形態による、端末の周波数帯域を適応させる方法のフローチャートである。
【図２】本発明の一実施形態による、端末の周波数帯域を適応させる別の方法のフローチャートである。
【図３】本発明の一実施形態による、端末の周波数帯域を適応させる別の方法のフローチャートである。
【図４Ａ】本発明の一実施形態による、端末の周波数帯域を適応させる別の方法のフローチャートである。
【図４Ｂ】本発明の一実施形態による、端末の周波数帯域を適応させる別の方法のフローチャートである。
【図５】本発明の一実施形態による、端末の周波数帯域を適応させるための端末の概略構造図である。
【図６】本発明の一実施形態による、端末の周波数帯域を適応させるための別の端末の概略構造図である。
【図７】本発明の一実施形態による、端末の周波数帯域を適応させるための別の端末の概略構造図である。
【図８】本発明の一実施形態による、端末の周波数帯域を適応させるための別の端末の概略構造図である。
【図９】本発明の一実施形態による、端末の周波数帯域を適応させるための別の端末の概略構造図である。
【発明を実施するための形態】
【００１３】
以下、本発明の実施形態における添付の図面を参照しながら、本発明の実施形態の技術的解決法について明確かつ完全に述べる。明らかに、述べる実施形態は、本発明の全ての実施形態ではなく、本発明のいくつかの実施形態に過ぎない。当業者によって本発明の実施形態に基づいて創意工夫なしに得られる他の全ての実施形態は、本発明の保護範囲に含まれるものとする。
【００１４】
図1に示すように、本発明による、端末の周波数帯域を適応させる方法の一実施形態では、方法は以下のステップを含み得る。
【００１５】
110:端末の位置情報を取得する。
【００１６】
端末は、現在位置情報を取得する。端末は、様々な方式によって位置情報を取得することができ、例えば、オペレータのワイヤレスネットワークを介して(Wi-Fiネットワークを介して等)取得するか、衛星測位システムによって取得するか、または端末が現在接続されているIPネットワークを介して取得することができる。どのように端末の現在位置情報を取得するかは、本発明において特に限定されない。
【００１７】
120:端末の設定情報に従って、位置情報によって示される位置における端末の禁止周波数帯域を決定する。
【００１８】
現在位置情報を取得した後、端末は、端末中の事前設定された(preset)設定情報に従って、現在位置における禁止周波数帯域を決定する。
【００１９】
130:禁止周波数帯域に端末が登録するのを禁止する。
【００２０】
ステップ120で端末の位置するところにおいて禁止周波数帯域が存在すると判定された場合、この位置における禁止周波数帯域に端末が登録することが禁止される。禁止周波数帯域のうちの周波数帯域への登録が禁止される場合、登録が禁止されるこれらの周波数帯域については、これらの周波数帯域への登録を禁止することを繰り返す必要はない。本発明では、ある周波数帯域への登録を禁止することは、ネットワーク探索時にこの周波数帯域を探索しないこと、または、ネットワーク探索時にこの周波数帯域を探索するがこの周波数帯域への登録を開始しないことを含む。端末が禁止周波数帯域に登録しないような別の一般的な方式を採用してもよく、これは本明細書において限定されない。
【００２１】
必須ではないが、ステップ120で端末が端末の位置で禁止周波数帯域を有し、複数の周波数帯域がある場合、禁止周波数帯域のうちの1つまたは複数に端末が登録することが禁止されてもよい。すなわち、全ての禁止周波数帯域が一度にまたは複数回にわたって登録を禁止されてよい。
【００２２】
端末の位置情報によって示される位置は、ある国または領域とすることができ、位置の範囲は、国ほどの広さ、さらにはより広い範囲であってもよく、または、村ほどの狭さ、さらにはより狭い範囲であってもよい。位置の範囲のサイズは、本発明の実施形態において限定されない。
【００２３】
端末の設定情報は、1つまたは複数の事前設定された位置における、端末の1つまたは複数の利用可能な周波数帯域および/または禁止周波数帯域によって構成することができる。
【００２４】
ステップ110で、端末の位置情報によって示される位置が、事前設定された位置(事前設定された国とすることができる)であることが得られたときは、ステップ120を通して、事前設定された位置における端末の禁止周波数帯域が、端末の設定情報に従って決定され、次いでステップ130を通して、禁止周波数帯域に端末が登録することが禁止される。これにより、端末側で端末の周波数帯域の適応が実施され、事前設定された位置における禁止周波数帯域を端末が使用するのを制限する目的が達成される。ネットワーク側が端末の周波数帯域許可を識別することは必要とされず、ネットワーク側は改変される必要はなく、それにより、ネットワーク側の負荷が緩和されネットワーク動作コストが削減される。端末の周波数帯域許可とは、端末が周波数帯域に登録するための許可、すなわち、ある周波数帯域への登録が端末に許可されるかどうかを指す。
【００２５】
図2に示すように、本発明による、端末の周波数帯域を適応させる方法の一実施形態では、方法はさらに以下のステップを含み得る。
【００２６】
210:位置情報によって示される位置がプリセットエリア内かどうか判定する。判定の結果、エリア内である場合は、ステップ120を実施する。
【００２７】
この場合、ステップ120は特に、端末の設定情報に従って、プリセットエリア中の端末の禁止周波数帯域を決定することである。
【００２８】
プリセットエリアは、1つまたは複数の特定の事前設定された国とすることができ、また、設定情報中の、1つの事前設定された位置によって、または複数の事前設定された位置の組合せによって形成されるエリアとすることもできる。
【００２９】
この実施形態では、プリセットエリアが設定されており、プリセットエリアにおける端末の設定情報が、端末の位置がプリセットエリア内であると判定されるまで決定されない。すなわち、この場合、オペレータは、プリセットエリア中のいくつかの周波数帯域の使用を制限したいだけである。したがって、端末が現在、プリセットエリア内に位置しないと判定されるときは、現在のエリア中の禁止周波数帯域を決定する動作および後続の動作を実施する必要はなく、それにより、端末の動作効率が向上し、端末の電力消費が低減される。
【００３０】
本発明において提供される、端末の周波数帯域を適応させる方法の一実施形態では、プリセットエリアは、事前設定された国とすることができる。事前設定された国は、1つまたは複数の国とすることができる。
【００３１】
本発明において提供される、端末の周波数帯域を適応させる方法の一実施形態では、ステップ130は特に、ネットワーク探索時に禁止周波数帯域を探索しないこと、または、ネットワーク探索時に禁止周波数帯域を探索するが禁止周波数帯域への登録を開始しないこととすることができる。ステップ130は、禁止周波数帯域を、探索禁止または登録禁止として設定することによって、実施することができる。本発明の実施形態は、禁止周波数帯域に端末が登録するのを制限するための様々な一般的な方法を含み得る。禁止周波数帯域を端末が使用するのを制限する目的は、禁止周波数帯域に端末が登録することが制限される限り達成することができ、それにより、端末の周波数帯域の適応が実施される。禁止周波数帯域に端末が登録するのを制限する方法は、本発明において限定されない。
【００３２】
本発明において提供される、端末の周波数帯域を適応させる方法の一実施形態では、位置情報はモバイル国コードMCC値とすることができ、ステップ110は特に、端末によってサポートされる周波数帯域中でセルを探索し、セルが見つかった場合に、セルのブロードキャストメッセージからMCC値を取得することとすることができる。
【００３３】
別法として、位置情報は衛星測位位置情報であり、ステップ110は特に、衛星測位システムを介して端末の衛星測位位置情報を取得することとすることができる。
【００３４】
端末によってサポートされる周波数帯域は、端末に記憶された、端末によってサポートされる周波数帯域のリストとすることができる。
【００３５】
衛星測位位置情報は、GPS測位位置情報、または、衛星を介して測位される他の位置情報とすることができる。GPS(全地球測位システム)とは、地球規模の範囲でリアルタイムの測位を実施することのできる、グローバルな測位システムを指す。現在の端末は、GPS機能をサポートすることができ、GPSを介して端末の位置を測位することができる。衛星測位位置情報を国の国境位置データと比較して、端末の位置である、位置情報によって示される位置が属する国を得ることができる。
【００３６】
MCC(モバイル国コード)とは、モバイル国番号またはモバイル国コードを指すが、これは、世界的に一意の国識別標準であり、モバイルユーザまたはシステムの属する国を示し、各国に対応するMCC値は固定かつ一意である。したがって、端末は、MCC値を取得することによって、端末の位置の属する国を正確に決定することができる。
【００３７】
本発明において提供される、端末の周波数帯域を適応させる方法の一実施形態では、位置情報はモバイル国コードMCC値とすることができ、ステップ110は特に、端末によってサポートされる周波数帯域中でセルを探索し、セルが見つかった場合に、セルのブロードキャストメッセージからMCC値を取得することとすることができる。
【００３８】
方法はさらに、見つかったセルの存在する周波数帯域が禁止周波数帯域に属するかどうか判定し、属さない場合は、セルの存在する周波数帯域に登録し、属する場合は、禁止周波数帯域に端末が登録するのを禁止することを実行することを含む。禁止周波数帯域に端末が登録するのを禁止することは特に、セルの存在する周波数帯域への登録を開始しないことである。
【００３９】
この実施形態を具体的に述べるために、図3を例にとる。図3に示すように、ステップ110は、以下のステップを含み得る。
【００４０】
1101:端末が、端末によって現在サポートされる周波数帯域を探索する。
【００４１】
1102:セルが見つかるかどうか判定する。見つかる場合はステップ1103に進む。見つからない場合はステップ1101に進む。
【００４２】
ステップ1101で、端末は、ネットワーク探索または周波数帯域探索に関連する既存のプロトコルのステップに従って、端末によって現在サポートされる周波数帯域を探索することができる。端末によって現在サポートされる周波数帯域の第1の周波数帯域中でセルが見つからない場合は、端末によって現在サポートされる周波数帯域の、次の周波数帯域すなわち第2の周波数帯域が引き続き探索される。セルがまだ見つからない場合は、セルが見つかるまで第3の周波数帯域が引き続き探索される。次いでステップ1103に進む。見つからない場合は、ステップ1101が絶えず繰り返されて、端末によって現在サポートされる周波数帯域の探索が継続される。
【００４３】
1103:MCC値を取得する。MCC値は、セルのブロードキャストメッセージから取得することができるが、MCC値は別の一般的な方法によって取得することもでき、これは本発明の実施形態において限定されない。セルのブロードキャストメッセージは、セルの属するPLMN(Public Land Mobile Network、公衆陸上移動網)の情報を搬送し、PLMN情報はMCC値を含む。したがって、セルのブロードキャストメッセージからMCC値を取得することができる。
【００４４】
ステップ120は特に、以下のステップとすることができる。
【００４５】
320:端末の設定情報に従って、MCC値によって示される位置における端末の禁止周波数帯域を決定する。
【００４６】
図3に示すように、方法はさらに、以下のステップを含み得る。
【００４７】
340:見つかったセルの存在する周波数帯域が禁止周波数帯域に属するかどうか判定する。属する場合はステップ130に進み、属さない場合はステップ350に進む。
【００４８】
350:セルの存在する周波数帯域に登録する。
【００４９】
任意選択で、この実施形態では、ステップ130をステップ340の前に実施してもよく、したがって、ステップ340で属すると判定されたときは、プロセスを終了してよい。
【００５０】
この実施形態では、図3に示すように、ステップ130はまた特に、セルの存在する周波数帯域に端末が登録するのを禁止することとすることができる。このようにすると、禁止周波数帯域の数が複数のとき、全ての禁止周波数帯域への登録が一度に禁止されるのではないものとすることができる。そうではなく、見つかったセルの存在する周波数帯域が禁止周波数帯域に属するとき、セルの存在する周波数帯域に登録することが禁止される。このようにして、複数回のネットワーク探索を通して、禁止周波数帯域への登録を1つずつ禁止することができる。本発明では、ある周波数帯域への登録を禁止することは、ネットワーク探索時にこの周波数帯域を探索しないこと、または、ネットワーク探索時にこの周波数帯域を探索するがこの周波数帯域への登録を開始しないことを含む。セルの存在する周波数帯域に端末が登録するのを禁止することは、ネットワーク探索時にセルの存在する周波数帯域を探索しないこと、または、ネットワーク探索時にセルの存在する周波数帯域を探索するがセルの存在する周波数帯域への登録を開始しないことを含む。
【００５１】
この実施形態では、見つかったセルの存在する周波数帯域が禁止周波数帯域に属するとき、禁止周波数帯域のうちの1つまたは複数に端末が登録するのを禁止することができる。禁止周波数帯域のうちの1つに端末が登録するのが禁止されるとき、セルの存在する周波数帯域に端末が登録するのを禁止することができる。また、端末による禁止周波数帯域のうちの全ての周波数帯域への登録を一度に禁止することもできる。
【００５２】
本発明において提供される、端末の周波数帯域を適応させる方法の一実施形態では、位置情報はモバイル国コードMCC値とすることができ、ステップ110は特に、端末によってサポートされる周波数帯域中でセルを探索し、セルが見つかった場合に、セルのブロードキャストメッセージからMCC値を取得することとすることができる。
【００５３】
方法はさらに、位置情報によって示される位置がプリセットエリア内でないと判定された場合に、セルの存在する周波数帯域に登録することを含み得る。この状況では、端末がプリセットエリア中になく、周波数帯域の使用が制限されないときは、セルの属する周波数帯域に直接に登録することができ、周波数帯域の使用は制限されない。すなわち、この状況では、オペレータは、1つまたは複数の特定のプリセットエリア中の1つまたは複数の特定の周波数帯域を端末が使用するのを制限するだけであり、端末がプリセットエリア中にないときは周波数帯域の使用を制限しない。
【００５４】
この実施形態を述べるために、図4を例にとる。図4に示すように、方法のステップの中で、以下のステップを、ステップ110とステップ320との間にさらに含めることができる。
【００５５】
460:MCC値によって示される位置がプリセットエリア内かどうか判定する。エリア内である場合はステップ320に進み、エリア内でない場合はステップ350に進む。
【００５６】
350:セルの存在する周波数帯域に登録する。
【００５７】
図4で、ステップ130はまた特に、セルの存在する周波数帯域に端末が登録するのを禁止することとすることができる。有益な効果については前述の実施形態における記述を参照することができ、これについては再度ここで繰り返し述べることはしない。
【００５８】
本発明において提供される、端末の周波数帯域を適応させる方法の一実施形態では、ステップ130の前に、方法はさらに、登録を禁止されない周波数帯域が禁止周波数帯域中に存在すると判定することを含み得る。この実施形態を述べるために、図4を例にとる。図4に示すように、方法はさらに以下のステップを含み得る。
【００５９】
480:登録を禁止されない周波数帯域が禁止周波数帯域中に存在するかどうか判定する。存在する場合はステップ130に進み、存在しない場合は、プロセスを終了してよい。この方法では、禁止周波数帯域のうちのいくつかの周波数帯域への登録が禁止されると見なし、登録が禁止されるこれらの周波数帯域については、登録が再度繰り返し禁止されることはない。このようにして、端末に対する動作の繰り返しを回避することができ、したがってプロセスは最適化され、それにより端末の動作効率が向上し端末の電力消費が低減される。
【００６０】
本発明において提供される、端末の周波数帯域を適応させる方法の一実施形態では、図4に示すように、方法はさらに以下のステップを含み得る。
【００６１】
490:端末の設定情報に従って、位置情報によって示される位置における端末の利用可能な周波数帯域を決定する。
【００６２】
491:利用可能な周波数帯域中に、探索不可能または登録不可能として設定された周波数帯域が存在するかどうか判定する。存在する場合はステップ492に進む。
【００６３】
ステップ491で、判定の結果、存在しない場合は、ステップ491を終了してよい。
【００６４】
492:探索不可能または登録不可能として設定された周波数帯域を、探索可能または登録可能として設定するか、または、ユーザに、探索不可能または登録不可能として設定された周波数帯域を、探索可能または登録可能として設定するよう促す。
【００６５】
図4で、ステップ490は、ステップ460でエリア内と判定された後で実施されるが、ステップ490はまた、ステップ110の後の任意のステップの前または後で実施されてもよい。このようにして、当該位置における端末の禁止周波数帯域への登録が禁止された後で、探索可能または登録可能な周波数帯域を端末が有さないケースを回避することができる。すなわち、当該位置における端末の禁止周波数帯域への登録が禁止された後でも、いくつかの周波数帯域が依然として端末に利用可能であるようにすることができる。
【００６６】
必須ではないが、ステップ492で、探索不可能または登録不可能として設定された周波数帯域のうちの1つまたは複数を、探索可能または登録可能として設定することができ、または、探索不可能または登録不可能として設定された周波数帯域のうちの1つまたは複数を、探索可能または登録可能として設定するようユーザに促すこともできる。
【００６７】
周波数帯域を探索可能または登録可能として設定することは、周波数帯域を利用可能として設定するための一方式に過ぎず、別の一般的な方法を採用して周波数帯域を利用可能として設定してもよく、これは本発明において限定されない。
【００６８】
本発明において提供される、端末の周波数帯域を適応させる方法の一実施形態では、方法はさらに、周波数帯域パラメータを照会または設定する命令を端末がユーザから受け取ったときに、端末の設定情報に従って、周波数帯域を照会または設定するための周波数帯域パラメータインタフェースをユーザに提供することを含み得る。このインタフェースは、当該位置における端末の利用可能な周波数帯域のみを表示するか、または、端末によってサポートされる全ての周波数帯域を表示するが当該位置における禁止周波数帯域は選択不可能状態である。すなわち、ユーザが周波数帯域パラメータを照会または設定するとき、当該位置における端末の禁止周波数帯域をユーザが設定または使用しないようにするために、禁止周波数帯域は表示されないか、または、表示はされるが選択することはできない。このようにして、プロセスステップを節約することができる一方、ユーザの誤操作を回避することができ、端末に対するユーザエクスペリエンスが向上する。
【００６９】
位置識別が端末に記憶されてよく、この位置識別は、端末の位置情報を示すのに使用される。示される位置情報は、不明、プリセットエリア、および非プリセットエリアを含み得る。端末がリブートされた後は、位置識別は不明に設定される。
【００７０】
端末がセルを探索して見つけ、MCC値を得た後、位置識別によって示される位置情報が判定される。プリセットエリアである場合は、位置識別によって示される位置情報は変化しない。非プリセットエリアであり、MCC値がプリセットエリアのMCC値である場合は、位置識別によって示される位置情報はプリセットエリアに設定される。非プリセットエリアであり、MCC値が非プリセットエリアのMCC値である場合は、位置識別によって示される位置情報は変化しない。
【００７１】
位置識別によって示される、端末の位置情報が不明であり、MCC値がプリセットエリアのMCC値である場合は、位置識別によって示される位置情報はプリセットエリアに設定される。位置識別によって示される、端末の位置情報が不明であり、MCC値が非プリセットエリアのMCC値である場合は、位置識別によって示される位置情報は非プリセットエリアに設定される。
【００７２】
周波数帯域パラメータを照会または設定する命令を端末がユーザから受け取ったとき、位置識別によって示される位置情報がプリセットエリアであるかどうか判定される。プリセットエリアである場合は、周波数帯域を照会または設定するための周波数帯域パラメータインタフェースがユーザに提供される。このインタフェースは、プリセットエリア中の端末の利用可能な周波数帯域のみを表示するか、または、端末によってサポートされる全ての周波数帯域を表示するがプリセットエリア中の禁止周波数帯域は選択不可能状態である。プリセットエリアが特定の国であるときは、この国の禁止周波数帯域を端末が使用するのを制限する目的を達成することができる。ユーザが外国へ向けてこの国を離れるとき、端末の周波数帯域パラメータを設定する必要がある場合は、ユーザは、端末をリブートしてから周波数帯域パラメータを設定する必要がある。
【００７３】
MCC値が判定されるとき、MCC値が、テストに使用されるMCC値と等しい場合は、位置識別によって示される位置情報は変化しなくてよい。
【００７４】
示される位置情報中のプリセットエリアは特に、ある国とすることができ、示される位置情報は特に、不明、国内、および海外を含み得る。示される位置情報はまた、不明、国内、および海外という用語と類似の意味を有する他の位置情報であってもよい。この実施形態では、国内という用語と海外という用語は両方とも、ある国に対して与えられる。
【００７５】
この実施形態では、位置識別の設定を通して、端末がプリセットエリア中にあるとき、周波数帯域を照会または設定するための周波数帯域パラメータインタフェースをユーザに提供することができる。このインタフェースは、当該位置における端末の利用可能な周波数帯域のみを表示するか、または、端末によってサポートされる全ての周波数帯域を表示するが当該位置における禁止周波数帯域は選択不可能状態であり、それにより、当該位置における端末の禁止周波数帯域をユーザが設定および使用することが防止される。このようにして、プロセスステップを節約することができる一方、ユーザの誤操作を回避することができ、端末に対するユーザエクスペリエンスが向上する。プリセットエリアが、事前設定された国であり、端末が国境線近くを移動しているとき、端末がリブートされない場合、端末の周波数帯域パラメータインタフェース上の周波数帯域は、頻繁に変化(事前設定された国の中の周波数帯域が表示されたり、事前設定された国の外の周波数帯域が表示されたりする)しなくてよく、事前設定された国の中の周波数帯域として常に表示される。周波数帯域の頻繁な切替え(事前設定された国の中の周波数帯域が探索されたり、事前設定された国の外の周波数帯域が探索されたりする)もまた生じず、事前設定された国の中の利用可能な周波数帯域を常に探索し、ネットワークの不安定感をユーザに与えず、それによりユーザエクスペリエンスがある程度向上する。
【００７６】
本発明において提供される、端末の周波数帯域を適応させる方法の一実施形態では、端末の設定情報は、端末の位置と周波数帯域との対応とすることができ、端末の位置と、その位置における利用可能な周波数帯域との対応、および/または、端末の位置と、その位置における禁止周波数帯域との対応を含み得る。設定情報が、端末の位置と、その位置における利用可能な周波数帯域との対応であるときは、その位置における禁止周波数帯域は、その位置における利用可能な周波数帯域に属さないものとすることができる。設定情報が、端末の位置と、その位置における禁止周波数帯域との対応であるときは、その位置における利用可能な周波数帯域は、その位置における禁止周波数帯域に属さないものとすることができる。
【００７７】
本発明の一実施形態はさらに、端末の周波数帯域を適応させるための端末を提供する。図5に示すのは、本発明による端末の一実施形態である。この実施形態では、この端末は以下を備える。
位置情報取得モジュール510は、端末の位置情報を取得するように構成される。ステップ110における記述を特に参照することができる。
設定情報記憶モジュール520は、端末の設定情報を記憶するように構成され、
設定情報は、ネットワーク側によって端末に送達された設定情報、または、端末の工場出荷時に事前設定された設定情報とすることができる。
マッチングモジュール530は、設定情報に従って、位置情報によって示される位置における端末の禁止周波数帯域を決定するように構成され、
設定情報は、端末の位置と周波数帯域との対応を含み、この対応は、端末の位置と、その位置における利用可能な周波数帯域との対応、および/または、端末の位置と、その位置における禁止周波数帯域との対応を含み得る。設定情報が、端末の位置と、その位置における利用可能な周波数帯域との対応であるときは、マッチングモジュール530は、その位置における利用可能な周波数帯域に属さない周波数帯域を、その位置における禁止周波数帯域と決定することができる。
周波数帯域適応モジュール540は、禁止周波数帯域に端末が登録するのを禁止するように構成される。
【００７８】
端末が当該位置で禁止周波数帯域を有するとマッチングモジュール530が決定した場合、周波数帯域適応モジュール540は、この位置における禁止周波数帯域に端末が登録するのを禁止する。禁止周波数帯域のうちのいくつかの周波数帯域への登録が禁止される場合、登録が禁止されるこれらの周波数帯域については、登録が再度繰り返し禁止されることはない。本発明では、ある周波数帯域への登録を禁止することは、ネットワーク探索時にこの周波数帯域を探索しないこと、または、ネットワーク探索時にこの周波数帯域を探索するがこの周波数帯域への登録を開始しないことを含む。端末が禁止周波数帯域に登録しないような別の一般的な方式を採用してもよく、これは本明細書において限定されない。
【００７９】
必須ではないが、端末が当該位置で禁止周波数帯域を有するとマッチングモジュール530が決定し、複数の周波数帯域がある場合、禁止周波数帯域のうちの1つまたは複数に端末が登録することが禁じられてもよい。すなわち、全ての禁止周波数帯域が一度にまたは複数回にわたって登録を禁止されてよい。
【００８０】
端末の位置情報によって示される位置は、ある国または領域とすることができ、位置の範囲は、国ほどの広さ、さらにはより広い範囲であってもよく、または、村ほどの狭さ、さらにはより狭い範囲であってもよい。位置の範囲のサイズは、本発明の実施形態において限定されない。
【００８１】
端末の設定情報は、1つまたは複数の事前設定された位置における、端末の1つまたは複数の利用可能な周波数帯域および/または禁止周波数帯域によって構成することができる。
【００８２】
本発明の実施形態では、位置情報取得モジュール510が、端末の位置情報を取得し、マッチングモジュール530が、位置情報によって示される位置における端末の禁止周波数帯域を決定し、次いで周波数帯域適応モジュール540が、禁止周波数帯域に端末が登録するのを禁止する。これにより、端末側で端末の周波数帯域の適応が実施され、事前設定された位置における禁止周波数帯域を端末が使用するのを制限する目的が達成される。ネットワーク側が端末の周波数帯域許可を識別することは必要とされず、ネットワーク側はアップグレードまたは再構築される必要はなく、それにより、ネットワーク側の負荷が緩和されネットワーク動作コストが削減される。
【００８３】
本発明において提供される端末の一実施形態では、図6に示すように、端末はさらに、
位置情報によって示される位置がプリセットエリア内かどうか判定するように構成された判定モジュール650を備える。
【００８４】
マッチングモジュール530は特に、位置情報によって示される位置がプリセットエリア内であると判定モジュール650が判定したとき、設定情報に従って、位置情報によって示される位置における端末の禁止周波数帯域を決定するように構成される。
【００８５】
プリセットエリアは、1つまたは複数の特定の事前設定された国とすることができ、また、設定情報中の、1つの事前設定された位置によって、または複数の事前設定された位置の組合せによって形成されるエリアとすることもできる。
【００８６】
この実施形態では、プリセットエリアが設定されており、プリセットエリアにおける端末の設定情報は、端末の位置がプリセットエリア内であると判定モジュール650が判定するまで決定されない。すなわち、この場合、オペレータは、プリセットエリア中のいくつかの周波数帯域の使用を制限したいだけである。したがって、端末が現在、プリセットエリア内に位置しないと判定されるときは、現在のエリア中の禁止周波数帯域を決定する動作および後続の動作を実施する必要はなく、それにより、端末の動作効率が向上し、端末の電力消費が低減される。
【００８７】
本発明において提供される端末の一実施形態では、プリセットエリアは特に、事前設定された国である。事前設定された国は、1つまたは複数の国とすることができる。
【００８８】
本発明において提供される端末の一実施形態では、周波数帯域適応モジュール540は特に、端末がネットワーク探索時に禁止周波数帯域を探索しないよう設定するか、または、端末がネットワーク探索時に禁止周波数帯域を探索するが禁止周波数帯域への登録を開始しないよう設定するように構成される。本発明の実施形態における周波数帯域適応モジュール540は、禁止周波数帯域に端末が登録するのを制限できる様々な一般的な方法を含み得る。禁止周波数帯域を端末が使用するのを制限する目的は、禁止周波数帯域に端末が登録するのを制限できる限り達成することができ、それにより、端末の周波数帯域の適応が実施される。禁止周波数帯域に端末が登録するのを制限する方法は、本発明において限定されない。
【００８９】
本発明において提供される端末の一実施形態では、位置情報は特に、モバイル国コードMCC値であり、図6に示すように、端末はさらに、
端末によってサポートされる周波数帯域中でセルを探索するように構成されたネットワーク探索モジュール660を備える。
【００９０】
位置情報取得モジュール510は特に、ネットワーク探索モジュール660が端末によってサポートされる周波数帯域中でセルを探索して見つけたときに、セルのブロードキャストメッセージからMCC値を取得するように構成される。MCCについては、方法実施形態における記述を特に参照することができ、ここで再度繰り返し述べることはしない。端末は、MCC値を取得することによって、端末の位置の属する国を正確に決定することができる。
【００９１】
本発明において提供される端末の一実施形態では、位置情報は特に、衛星測位位置情報であり、位置情報取得モジュール510は特に、衛星測位システムを介して端末の衛星測位位置情報を取得するように構成される。衛星測位位置情報は、GPS測位位置情報、または、衛星を介して測位される他の位置情報とすることができる。衛星測位位置情報を国の国境位置データと比較して、端末の位置である、位置情報によって示される位置が属する国を決定することができる。GPSについては、方法実施形態における記述を特に参照することができ、ここで再度繰り返し述べることはしない。
【００９２】
位置情報取得モジュール510はまた、別の方法によって端末の位置情報を取得してもよく、これは本発明において限定されない。
【００９３】
本発明において提供される端末の一実施形態では、マッチングモジュール530はさらに、設定情報に従って、位置情報によって示される位置における端末の利用可能な周波数帯域を決定するように構成される。
【００９４】
周波数帯域適応モジュール540はさらに、利用可能な周波数帯域中に、探索不可能または登録不可能として設定された周波数帯域が存在するときに、探索不可能または登録不可能として設定された周波数帯域を、探索可能または登録可能として設定するか、または、ユーザに、探索不可能または登録不可能として設定された周波数帯域を、探索可能または登録可能として設定するよう促すように構成される。周波数帯域適応モジュール540の機能を用いて、当該位置における端末の禁止周波数帯域への登録が禁止された後で、探索可能または登録可能な周波数帯域を端末が有さないケースを回避することができる。すなわち、当該位置における端末の禁止周波数帯域への登録が禁止された後でも、いくつかの周波数帯域が依然として端末に利用可能であるようにすることができる。
【００９５】
必須ではないが、周波数帯域適応モジュール540は、探索不可能または登録不可能として設定された周波数帯域のうちの1つまたは複数を、探索可能または登録可能として設定することができ、また、探索不可能または登録不可能として設定された周波数帯域のうちの1つまたは複数を、探索可能または登録可能として設定するようユーザに促すこともできる。
【００９６】
周波数帯域を探索可能または登録可能として設定することは、周波数帯域適応モジュール540が周波数帯域を利用可能として設定するための一方式に過ぎず、周波数帯域適応モジュール540は、別の一般的な方法を採用して周波数帯域を利用可能として設定してもよく、これは本発明において限定されない。
【００９７】
本発明において提供される端末の一実施形態では、位置情報は特に、モバイル国コードMCC値であり、図7に示すように、端末はさらに、
端末によってサポートされる周波数帯域中でセルを探索するように構成されたネットワーク探索モジュール660を備える。
【００９８】
位置情報取得モジュール510は特に、ネットワーク探索モジュール660が端末によってサポートされる周波数帯域中でセルを探索して見つけたときに、セルのブロードキャストメッセージからMCC値を取得するように構成される。
【００９９】
MCC値は、セルのブロードキャストメッセージから取得することができるが、MCC値は別の一般的な方法によって取得することもでき、これは本発明の実施形態において限定されない。セルのブロードキャストメッセージは、セルの属するPLMN(Public Land Mobile Network、公衆陸上移動網)の情報を搬送し、PLMN情報はMCC値を含む。したがって、セルのブロードキャストメッセージからMCC値を取得することができる。
【０１００】
端末はさらに、
ネットワーク探索モジュール660によって見つかったセルの存在する周波数帯域が禁止周波数帯域に属さないときに、セルの存在する周波数帯域に登録するように構成された、登録モジュール770を備える。
【０１０１】
周波数帯域適応モジュール540は特に、ネットワーク探索モジュール660によって見つかったセルの存在する周波数帯域が禁止周波数帯域に属するときに、セルの存在する周波数帯域に端末が登録するのを禁止するように構成される。このようにすると、禁止周波数帯域の数が複数のとき、全ての禁止周波数帯域への登録が一度に禁止されるのではないものとすることができる。そうではなく、見つかったセルの存在する周波数帯域が禁止周波数帯域に属するとき、セルの存在する周波数帯域に登録することが禁止される。このようにして、複数回のネットワーク探索を通して、禁止周波数帯域への登録を1つずつ禁止することができる。周波数帯域適応モジュール540はまた特に、マッチングモジュール530が禁止周波数帯域を決定した後で、またはネットワーク探索モジュール660によって見つかったセルの存在する周波数帯域が禁止周波数帯域に属するときに、禁止周波数帯域に端末が登録するのを禁止するように構成されてもよい。すなわち、禁止周波数帯域への登録が一度に禁止されてもよい。
【０１０２】
本発明では、ある周波数帯域への登録を禁止することは、ネットワーク探索時にこの周波数帯域を探索しないこと、または、ネットワーク探索時にこの周波数帯域を探索するがこの周波数帯域への登録を開始しないことを含む。セルの存在する周波数帯域に端末が登録するのを禁止することは、ネットワーク探索時にセルの存在する周波数帯域を探索しないこと、または、ネットワーク探索時にセルの存在する周波数帯域を探索するがセルの存在する周波数帯域への登録を開始しないことを含む。
【０１０３】
本発明において提供される端末の一実施形態では、位置情報は特に、モバイル国コードMCC値であり、図8に示すように、端末はさらに、
端末によってサポートされる周波数帯域中でセルを探索するように構成されたネットワーク探索モジュール660を備える。
【０１０４】
位置情報取得モジュール510は特に、ネットワーク探索モジュール660が端末によってサポートされる周波数帯域中でセルを探索して見つけたときに、セルのブロードキャストメッセージからMCC値を取得するように構成される。
【０１０５】
端末はさらに、位置情報によって示される位置がプリセットエリア内でないと判定モジュール650が判定したときに、セルの存在する周波数帯域に登録するように構成された、登録モジュール880を備える。
【０１０６】
位置情報によって示される位置がプリセットエリア内であると判定モジュール650が判定したときは、マッチングモジュール530は、プリセットエリア中の端末の禁止周波数帯域を決定する。
【０１０７】
この状況では、オペレータは、1つまたは複数の特定のプリセットエリア中の1つまたは複数の特定の周波数帯域を端末が使用することを制限するだけであり、端末がプリセットエリア中にないときは周波数帯域の使用を制限しない。端末がプリセットエリア中にないとき、周波数帯域の使用は制限されず、セルの存在する周波数帯域に直接に登録することができ、周波数帯域の使用を制限することは必要とされない。
【０１０８】
本発明によって提供される端末の前述の実施形態では、周波数帯域適応モジュール540は特に、禁止周波数帯域のうちのいくつかの周波数帯域への登録が禁止されないと判定されたときに、禁止周波数帯域に端末が登録するのを禁止するように構成されてよい。このようにすると、禁止周波数帯域のうちのいくつかの周波数帯域への登録が禁止されるとき、登録が禁止されるこれらの周波数帯域については、登録が再度繰り返し禁止されることはない。このようにして、端末に対する動作の繰り返しを回避することができ、したがってプロセスは最適化され、それにより端末の動作効率が向上し端末の電力消費が低減される。
【０１０９】
本発明において提供される端末の一実施形態では、かつ図9に示すように、端末はさらに、
周波数帯域パラメータを照会または設定する命令を端末がユーザから受け取ったときに、設定情報記憶モジュール520によって記憶された端末の設定情報に従って、周波数帯域を照会または設定するための周波数帯域パラメータインタフェースをユーザに提供するように構成された、周波数帯域パラメータ表示モジュール990を備える。このインタフェースは、マッチングモジュール530によって照合された位置における端末の利用可能な周波数帯域のみを表示するか、または、端末によってサポートされる全ての周波数帯域を表示するがこの位置における禁止周波数帯域は選択不可能状態である。
【０１１０】
周波数帯域パラメータ表示モジュール990は、マッチングモジュール530の後の任意のモジュールの前または後に存在してよい。
【０１１１】
すなわち、ユーザが周波数帯域パラメータを照会または設定するとき、当該位置における端末の禁止周波数帯域をユーザが設定または使用しないようにするために、禁止周波数帯域は表示されないか、または、表示はされるが選択することはできない。このようにして、プロセスステップを節約することができる一方、ユーザの誤操作を回避することができ、端末に対するユーザエクスペリエンスが向上する。
【０１１２】
位置識別が端末に記憶されてよく、この位置識別は、端末の位置情報を示すのに使用される。示される位置情報は、不明、プリセットエリア、および非プリセットエリアを含み得る。端末がリブートされた後は、位置識別は不明に設定される。
【０１１３】
端末がセルを探索して見つけ、MCC値を得た後、位置識別によって示される位置情報が判定される。プリセットエリアである場合は、位置識別によって示される位置情報は変化しない。非プリセットエリアであり、MCC値がプリセットエリアのMCC値である場合は、位置識別によって示される位置情報はプリセットエリアに設定される。非プリセットエリアであり、MCC値が非プリセットエリアのMCC値である場合は、位置識別によって示される位置情報は変化しない。
【０１１４】
位置識別によって示される、端末の位置情報が不明であり、MCC値がプリセットエリアのMCC値である場合は、位置識別によって示される位置情報はプリセットエリアに設定される。位置識別によって示される、端末の位置情報が不明であり、MCC値が非プリセットエリアのMCC値である場合は、位置識別によって示される位置情報は非プリセットエリアに設定される。
【０１１５】
周波数帯域パラメータを照会または設定する命令を端末がユーザから受け取ったとき、位置識別によって示される位置情報がプリセットエリアであるかどうか判定される。プリセットエリアである場合は、周波数帯域を照会または設定するための周波数帯域パラメータインタフェースがユーザに提供される。このインタフェースは、プリセットエリア中の端末の利用可能な周波数帯域のみを表示するか、または、端末によってサポートされる全ての周波数帯域を表示するがプリセットエリア中の禁止周波数帯域は選択不可能状態である。プリセットエリアが特定の国であるときは、この国の禁止周波数帯域を端末が使用するのを制限する目的を達成することができる。ユーザが外国へ向けてこの国を離れるとき、端末の周波数帯域パラメータを設定する必要がある場合は、ユーザは、端末をリブートしてから周波数帯域パラメータを設定する必要がある。
【０１１６】
MCC値が判定されるとき、MCC値が、テストに使用されるMCC値と等しい場合は、位置識別によって示される位置情報は変化しなくてよい。
【０１１７】
示される位置情報中のプリセットエリアは特に、ある国とすることができ、示される位置情報は特に、不明、国内、および海外を含み得る。示される位置情報はまた、不明、国内、および海外という用語と類似の意味を有する他の位置情報であってもよい。この実施形態では、国内という用語と海外という用語は両方とも、ある国に対して与えられる。
【０１１８】
この実施形態で提供される端末は、ユーザの誤操作を回避することができ、ユーザエクスペリエンスをある程度向上させる。詳細については、方法実施形態における記述を参照することができる。
【０１１９】
本発明において提供される端末の一実施形態では、設定情報記憶モジュール520に記憶される端末の設定情報は特に、端末の位置と周波数帯域との対応とすることができ、端末の位置と、その位置における利用可能な周波数帯域との対応、および/または、端末の位置と、その位置における禁止周波数帯域との対応を含む。設定情報が、端末の位置と、その位置における利用可能な周波数帯域との対応であるときは、その位置における禁止周波数帯域は、その位置における利用可能な周波数帯域に属さないものとすることができる。設定情報が、端末の位置と、その位置における禁止周波数帯域との対応であるときは、その位置における利用可能な周波数帯域は、その位置における禁止周波数帯域に属さないものとすることができる。
【０１２０】
本明細書では、セルの存在する周波数帯域に登録することは、実質的に、セルに対応するPLMNに登録することを指すことに留意されたい。本発明では、ある周波数帯域への登録を禁止することは、ネットワーク探索時にこの周波数帯域を探索しないこと、または、ネットワーク探索時にこの周波数帯域を探索するがこの周波数帯域への登録を開始しないことを含む。
【０１２１】
プログラムが記録されたコンピュータ可読記録媒体であって、プログラムは、前述の方法のいずれかをコンピュータに実行させる。
【０１２２】
前述の実施形態の方法におけるステップの全部または一部は、プログラムが関連ハードウェアに命令することによって実施されてよいこと、およびこのプログラムが端末の可読記録媒体に記憶されてよいことは、当業者なら理解するであろう。プログラムが実行されるとき、前述のステップの全部または一部が実施される。記録媒体は、例えばFLASHおよびEEPROMを含む。
【０１２３】
本発明の目的、技術的解決法、および有益な効果は、前述の具体的な実施方式を通してさらに詳細に述べられている。種々の実施形態を組み合わせることができることを理解されたい。以上の記述は、本発明の特定の実施方式に過ぎず、本発明の保護範囲を限定する意図はない。本発明の趣旨および原理の内で行われるどんな組合せ、修正、等価な置換、または改良も、本発明の保護範囲内に含まれるものとする。
【符号の説明】
【０１２４】
510  位置情報取得モジュール
520  設定情報記憶モジュール
530  マッチングモジュール
540  周波数帯域適応モジュール
650  判定モジュール
660  ネットワーク探索モジュール
770  登録モジュール
880  登録モジュール
990  周波数帯域パラメータ表示モジュール
【図１】
2013121179.tif 000003
【図２】
2013121179.tif 000004
【図３】
2013121179.tif 000005
【図４Ａ】
2013121179.tif 000006
【図４Ｂ】
2013121179.tif 000007
【図５】
2013121179.tif 000008
【図６】
2013121179.tif 000009
【図７】
2013121179.tif 000010
【図８】
2013121179.tif 000011
【図９】
2013121179.tif 000012